(57)【要約】  本発明は、導電性を有する液体で充填される容器の容量性識別方法及びシステムに関する。この場合、容器又は当該容器の内容物は、表面センサーによって、容量性結合により識別される。本発明は、例えば、導電性を有する異なる液体を見分けるために本方法又は本システムを使用することに更に関する。【選択図】図1
2016510289.tif 000002
【特許請求の範囲】
【請求項１】
導電性材料を含む容器の容量性識別方法であって、
a.前記容器を設けるステップと、
b.容量性表面センサーを有する少なくとも1つのデバイスを設けるステップと、
c.前記容量性表面センサーと前記容器とを接触させるステップと、
d.前記容器と前記表面センサーとの間の容量性結合によって、前記容量性表面センサー上の少なくとも1つのタッチイベントがトリガーされるステップと、
を含む、導電性材料を含む容器の容量性識別方法。
【請求項２】
前記導電性材料が、前記容器の中身、前記容器の材料及び／又は前記容器の上又は中の情報担体の構成物質を含む群から選択されることを特徴とする、請求項1に記載の方法。
【請求項３】
前記容器の前記中身は固体、気体及び／又は液体であることを特徴とする、請求項1に記載の方法。
【請求項４】
1つ又は複数の情報担体は、前記容器の底部の中、閉鎖デバイスの中、ラベルの中、吊り下げラベルの中、パッケージの中、側面の中及び／又は上にあることを特徴とする、請求項2に記載の方法。
【請求項５】
前記容器は、ボトル、缶、飲料カップ又は飲料カートンを含む群から選択されることを特徴とする、請求項1〜4のうちのいずれか１に記載の方法。
【請求項６】
前記容器は、構造素子を有する少なくとも1つの通常の底面及び／又は側面及び／又は閉鎖デバイスを有することを特徴とする、請求項1〜5のうちのいずれか１に記載の方法。
【請求項７】
前記構造素子は、刻み目、凹み及び／又は溝であることを特徴とする、請求項6に記載の方法。
【請求項８】
前記構造素子は、前記容器材料よりも高い若しくは低いキャパシタンスを有するラベル及び／又は前記容器の残りの部分よりも大きい若しくは小さい壁厚を有する領域を含む群から選択されることを特徴とする、請求項1〜7のうちのいずれか１に記載の方法。
【請求項９】
ボトルは、ガラスボトル、プラスチックボトル、特にPEボトル、PPボトル、PETボトル又はPTFEボトル、セラミックボトル、金属ボトル又はそれらの組み合わせを含む群から選択され、缶は、ブリキ、鋼、及び／又はアルミニウムから作られる食料缶又は飲料缶を含む群から選択されることを特徴とする、請求項1〜8のうちのいずれか１に記載の方法。
【請求項１０】
前記容器とユーザーとの間にタッチ接触があることを特徴とする、請求項1〜9のうちのいずれか１に記載の方法。
【請求項１１】
前記容器の前記液体中身は、電解液体、極性液体及び／又は双極子物質及び／又はイオンを有する液体を含む群から選択されることを特徴とする、請求項1〜10のうちのいずれか１に記載の方法。
【請求項１２】
前記表面センサーと前記容器とを接触させることは、前記容器の前記底面及び／又は前記閉鎖デバイスを、前記表面センサーと接触させることによって実施されることを特徴とする、請求項1〜11のうちのいずれか１に記載の方法。
【請求項１３】
前記容量性表面センサーを有する前記デバイスは、前記容器によってもたらされる前記タッチイベントと、手指の先によってもたらされるタッチイベントとを見分けるための手段を備えることを特徴とする、請求項1〜12のうちのいずれか１に記載の方法。
【請求項１４】
導電性を有する液体で充填される前記容器は、吹き込み成形、吹き込み形成、真空法又は加圧法、深絞り、伸長及び／又はこれらの方法の組み合わせによって製造されることを特徴とする、請求項1〜13のうちのいずれか１に記載の方法。
【請求項１５】
前記容量性表面センサーを有する前記デバイスは、前記タッチイベントがトリガーされるロケーションを特定する手段を備えることを特徴とする、請求項1〜14のうちのいずれか１に記載の方法。
【請求項１６】
導電性材料を含む容器又は該容器の内容物の容量性識別のためのシステムであって、容量性表面センサーと前記容器とを有するデバイスを備え、
前記容器と表面センサーとの間に接触があると、前記容器又は該容器の前記内容物の前記識別に用いられる少なくとも1つのタッチイベントがトリガーされることを特徴とする、導電性材料を含む容器又は該容器の前記内容物の容量性識別のためのシステム。
【請求項１７】
導電性材料を含む容器又は該容器の内容物の容量性識別のためのシステムであって、容量性表面センサーと前記容器とを有するデバイスを備え、
前記容器は、少なくとも1つの底面、側面、閉鎖デバイス、ラベル、吊り下げラベル及び／又はパッケージを有することを特徴とする、導電性材料を含む容器又は該容器の前記内容物の容量性識別のためのシステム。
【請求項１８】
容器の中の導電性材料の容量性識別のための、請求項1〜15に記載の方法及び／又は請求項16又は17に記載のシステムの使用。
【請求項１９】
容器の中の導電性を有する液体を容量的に見分けるための使用であって、
前記液体は、該液体の前記導電性に作用し、したがって、液体と容器とを含むシステム全体のキャパシタンスに作用する可変特性を有し、したがって、前記液体は、表面センサーによって容量的に見分けることができることを特徴とする、容器の中の導電性を有する液体を容量的に見分けるための使用。
【発明の詳細な説明】
【技術分野】
【０００１】
本発明は、導電性材料を含む容器の容量性識別方法に関する。本方法は、容器を設けるステップと、容量性表面センサーを有する少なくとも1つのデバイスを設けるステップと、容量性表面センサーを容器と接触させるステップと、容器と表面センサーとの間の容量性結合によって、容量性表面センサー上の少なくとも1つのタッチイベントがトリガーされるステップとを含む。さらに、本発明は、容器又は当該容器の内容物の容量性識別のためのシステムに関する。本システムは、容量性表面センサーと容器とを有するデバイスを備え、好ましくは、容器と表面センサーとの間にタッチ接触があると、タッチイベントのうちの少なくとも1つがトリガーされることを特徴とする。本方法及び本システムにおけるタッチイベントを用いて、容器又は当該容器の内容物を識別する。さらに、本発明は、容器の導電性材料又は容器の中の導電性材料を容量性識別するための、本方法及び／又は本システムの使用に関する。
【背景技術】
【０００２】
従来技術では、様々な実施形態において容量性情報担体が既知である。例えば、プレイングカード又はトレーディングカードとして用いられるカードに関する記載がされている。紙又は厚紙から製造されるこれらのプレイングカードは、読み取りデバイスを用いて読み取ることができるコード配列を有する。プレイングカードは、プレイヤー間で交換することができ、プレイヤーは自身のカードを用いて互いに対戦することができる。
【０００３】
さらに、従来技術は、ゲームキャラクター（gaming character：（独）Spielfigur：駒）を開示している。プレイヤーはゲームキャラクターを用いてタッチスクリーン上でゲームをすることができる。この場合、ゲームキャラクターの底面の導電性は、ゲームキャラクターの基部における特定の画定されたサブエリアのみが導電性を有するように構成される。全体として解釈すると、これらのサブエリアはデータコードを生成する。ユーザーによってゲームキャラクターがタッチスクリーンと接触させられると、タッチスクリーンを有するデバイスによってデータコードを検出及び識別することができる。
【０００４】
さらに、従来技術は、パッケージに一体化された形態で存在する情報担体を含む。特許文献1、特許文献2、特許文献3、及び特許文献4では、特にデータのセキュアな検証又は妥当性確認を可能にする、表面に印刷された材料が開示されている。これは、例えば、薬剤及び当該薬剤のパッケージにとって適切とすることができるが、宝くじにとっても適切とすることができる。印刷された情報は、例えば、認証を保証するか、又は妥当性チェックの役割を果たす。その上、容量的に読み取ることができるデータ担体が、中でも特許文献2（固定情報記憶）及び特許文献3（駐車システム）から既知である。
【０００５】
さらに、特許文献5又は他には特許文献6は、印刷法を開示している。この印刷法では、印刷される表面に情報を実装するために導電性素子が用いられるか又は印刷され、それにより、印刷される材料を、このようにして例えば読み取りデバイスのために個別化する。開示されている方法によって得られる製品は、例えば、物流、手紙の発送、又は貨物追跡に用いることができる。
【０００６】
これらの情報担体のうちの多くは、容量性タッチスクリーンと、又は或る程度までは抵抗性タッチスクリーンともインタラクトすることもできるし、これらのタッチスクリーン上のタッチイベントをトリガーすることもできる。以下の記載において、「表面センサー」という用語は同等なものとして用いられ、主に、影響、例えば接触をこの表面のみで検知することができ、基本的に、上記接触を関連するロジックによって評価可能とすることができる容量性表面センサーを指す。より大きな総括において、容量性インターフェース、入力マトリクス又は入力デバイスについても言及する。
【０００７】
抵抗性表面センサー又は容量性表面センサーは、より単純に機械を操作するのに用いられる。一方、表面センサーが日常生活の一部となってから、これらの表面センサーは、多くの用途で用いることができ、日常使用において非常に重要である。タッチモニター、タッチスクリーン又は表面センサーとも呼ばれる容量性モニターに入力を行うために、手指に加えて特定の入力ペンを用いることもできる。容量性タッチ感知モニターは、行電極と列電極との間の容量性結合を変化させる入力ペンの位置を検知する。容量性タッチ感知モニター上では、多くの場合に入力はユーザーの1本又は複数本の手指によって行われる。
【０００８】
原則として、表面センサーは電気デバイス内に収容される。そのようなデバイスは、例えば、スマートフォン、携帯電話、表示装置、タブレット型PC、タブレット型ノートブック、タッチパッドデバイス、ペンタブレット、テレビ、PDA、MP3プレイヤー、トラックパッド及び／又は容量性入力デバイスであるが、これらに限定されない。タッチスクリーンは、触知性スクリーン、表面センサー又はセンサーモニターとしても知られる。表面センサーは、必ずしも表示装置の前に位置しなくてもよい。例えば、上記センサーは、タッチパッド等として形成され、用いることもできる。さらに、表面センサーは、可視又は不可視であるように様々なデバイス（devices：道具）、例えば棚と一体化することができる。
【０００９】
本発明によると、マルチタッチ可能表面センサーとして知られるものが主な関心の対象とされる。そのような表面センサーは、複数の同時タッチを検知することができ、例えば、特に、表示されたエレメントを回転又は縮尺変更するのに用いることができる。これは、ユーザーにとって、スマートフォンの日常使用から既知である。ここでは、表面センサーは、投影型容量性タッチ技法（PCT技法）として知られるものとして実施されることが好ましい。PCT技法の変更形態は、例えば、相互キャパシタンスタッチスクリーン及び自己キャパシタンスタッチスクリーンとして実施することができる「相互キャパシタンス」及び「自己キャパシタンス」である。
【００１０】
従来技術では、このような表面センサーは、特に、能動回路と、電極の構造に接続されたタッチコントローラーとを備える。相互キャパシタンス表面センサーの場合、これらの電極は、一般的に、送信電極と、受信電極とに分けられる。タッチコントローラーは、信号がそれぞれ、1つ又は複数の送信電極と、1つ又は複数の受信電極との間を送信されるように電極をアクティブ化することが好ましい。従来技術に記載されている表面センサーの目的は、特に、手指又は特定の入力デバイスと、表面センサーの表面におけるそれらの手指又は特定のデバイスの位置との検知である。このため、手指を導くことによって、例えば、電極間の信号を変化させる効果を有する。原則として信号は減じられる。なぜならば、導かれる手指は、送信電極からの信号のうちの一部を拾い、したがって受信電極には、より低い信号が到達するからである。
【００１１】
表面センサーの日常生活への導入及びその普遍的利便性は、表面センサーの利便性を高める新しい技術を提供することへの刺激としてますます捉えられてきている。今日まで、当時複雑な方法によってオブジェクトに適用する必要があった情報担体が最も多く製造されてきた。従来技術に記載されているのは、オブジェクトへの情報担体の一体化又は情報担体のオーバープリントである。これらの方法の全てに共通する特徴は、追加の情報担体を提供し、取り付ける必要があることである。これは、製造ステップの数及び製造コストを増やす。複雑な製造方法又は適用方法が不利となるのは、情報担体がまさに大量生産品と組み合わせて用いられるときである。なぜならば、結果として、経済的又は有益な応用形態及び製品を実現することができないからである。さらに、オブジェクトに追加の情報担体が与えられた場合、ユーザーの視覚的な美的感覚（optical-esthetic feeling）が妨げられる場合がある。それだけでなく、従来技術の不利点は、情報担体に通常使用される材料が環境に配慮しておらず、特殊電子廃棄物として処分する必要があることである。
【００１２】
さらに、情報担体は以前から一部の製品群にしか用いられていなかった。これらの製品群は、ゲームカード及びゲームキャラクター、薬剤、宝くじ、入場券、物流部門、手紙の発送又は貨物追跡を含む。より多くの製品への適用の拡大が望ましい。
【先行技術文献】
【特許文献】
【００１３】
【特許文献１】米国特許第5,818,019号
【特許文献２】米国特許第3,719,804号
【特許文献３】米国特許第4,587,410号
【特許文献４】米国特許公開第2006／0118612号
【特許文献５】欧州特許第0569520号
【特許文献６】独国特許公開第102008013509号
【発明の概要】
【発明が解決しようとする課題】
【００１４】
この従来技術に基づいて、本発明の目的は、日用品を表面センサーによって容量的に識別するが、日用品を表面センサーで検知するためにその日用品を変更する必要がないか、又はわずかにしか変更する必要がない方法を提供することである。したがって、そのような容器は、経済的にのみならず、非常に急速に実現することができる。
【課題を解決するための手段】
【００１５】
この目的は独立請求項の特徴によって達成することができる。好ましい実施形態は従属項において見つけることができる。
【発明を実施するための形態】
【００１６】
導電性材料を含む容器を容量的に識別することができる方法を提供することができることは完全に驚くべきことであった。特に、この容器を表面センサーで検知するためにその容器を変更する必要がないか、又はわずかにしか変更する必要がないことは、完全に驚くべきことであった。理想的な場合には、適用に更なる製造ステップすら必要とされない。代わりに、既存の製造ステップから選ばれた特定の製造ステップが必要とされる。したがって、材料、時間、費用、又は他の生産手段（capacities）に関して追加の投資を生じさせることなく、特に表面センサーとインタラクトすることができる容器を作成することができる。従来技術からこのようなものは知られていない。
【００１７】
導電性材料を含む容器の容量性識別方法は、
a.容器を設けるステップと、
b.容量性表面センサーを有する少なくとも1つのデバイスを設けるステップと、
c.容量性表面センサーと容器とを接触させるステップと、
d.容器と表面センサーとの間の容量性結合によって、容量性表面センサーで少なくとも1つのタッチイベントがトリガーされるステップと、
を含む。
【００１８】
容量性識別は、容器及び表面センサーが互いに接触し、接近又は直接接触の結果、タッチイベントが容量性表面センサー上で発生することによって実現される。タッチイベントという用語は、当業者にとって既知である。例えば、国際出願第PCT／EP2013／072508号又は国際出願第PCT／EP2012／053502号に記載されている。ここでタッチイベントという用語に関連してなされている記載は、引用することにより本出願の開示内容の一部をなす。
【００１９】
容量性表面センサーは、一方の層では列として配列され、他方の層では行として配列される電極からなる2層の座標ネットワークから構成されることが好ましい。電極間には絶縁性誘電体が存在する。裏面には、電極の交差点におけるキャパシタンスを継続的に測定する回路が取り付けられている。
【００２０】
本発明におけるタッチイベントは、表面センサーによる、接触又は接近の容量性検知であることが好ましい。ここで、タッチイベントは、手指、容器コンポーネント、又はタッチイベントをもたらすように提供される専用タッチポイントによってもたらすことができる。このための技術基盤は、表面センサーと、容器及び当該容器の内容物を含むシステム全体との容量性結合である。したがって、表面センサーがタッチイベントを検知することができることへの前提は、手指、容器コンポーネント、又はタッチポイントが、表面センサーにおける電極間の静電界に変化を及ぼし、この変化の結果としてキャパシタンスにおける測定可能な変化をもたらすことができるように、導電性を有することである。
【００２１】
容器は、本発明の好ましい改良において、好ましくは容器の上又は中、例えば容器の閉鎖部（closure：キャップ）にある、容器の中身、容器の材料及び／又は情報担体の構成物質を含む群から選択される導電性材料を含む。容器の中身とは、容器の内容物を意味する。容器の好ましい実施形態では、中身は固体、気体、又は液体である。したがって、固体と、気体及び液体との双方を意味する。本発明による方法を、これほど広い範囲の中身の材料を用いて実施することができることは、完全に驚くべきことであった。結果として、本方法は広範囲の応用形態において使用及び適用することができる。
【００２２】
容器の材料は、導電性を有することもできるし、非導電性とすることもできる。特に、任意の種類の容器に、例えば製造プロセスの後に容器に追加的に適用される導電性被覆を追加的に施すことができる。
【００２３】
情報担体という用語は、当業者にとって既知である。好ましい情報担体が、例えば、その開示内容全体が本特許出願の一部をなす、本出願人による国際出願第PCT／EP2009／007578号から既知である。
【００２４】
本発明の好ましい実施形態では、1つ又は複数の情報担体は、容器の底部の中、閉鎖デバイスの中、ラベルの中、吊り下げラベルの中、パッケージの中、側面の中及び／又は側面上にあることができる。情報担体は、例えば、1つ又は複数のタッチポイントを含むことができる。各タッチポイントは、タッチイベントを表面センサー上にトリガーする。ここでは、1つ又は複数の情報担体を容器に対して導電接続するために用いるのが好ましい特定の接続デバイスはない。複数のタッチポイントが併せてデータコード又はその中にデータを記憶することができる特徴シグネチャーを生成してもよい。
【００２５】
ここでは、情報担体は完全に又は部分的にのみ導電性を有する形態で存在することができる。これは、情報担体の表面を、完全に又は部分的にのみ導電性を有するように構成することができることを意味する。好ましい構成では、容器に複数の情報担体を設けることができる。これらの複数の情報担体は、容器の閉鎖デバイスの底部の上、内側上若しくは外側上、ラベルの中、ラベルの表側上若しくは裏側上、吊り下げラベルの中、吊り下げラベルの表側上若しくは裏側上、パッケージの中、側面の中及び／又は側面上の双方に存在することができる。
【００２６】
底部側に対して、通常は容器の設置面の役割を果たす外側において追加の情報担体を設けることができる。しかしながら、通常は容器の中身に面する底面の内側にそのような情報担体を設けることが好ましい場合もある。本発明による方法を、特に以下の材料、つまり重金属及び有機スズ材料、ビスフェノールA、ホルムアルデヒド、ペンタクロロフェニル、並びにフタル酸の使用を排除した複数の工業規格と併用して使用することができることは、完全に驚くべきことであり、このことは本発明の利益を代表する。さらに、本方法は、全ての種類の食品との相溶性を保証する。したがって、本発明による方法は、食品包装の分野においても用いることができ、このことは、本発明の適用分野を有利に拡大する。
【００２７】
追加の情報担体を閉鎖デバイスの外側又は内側に取り付けることができることが好ましい。本発明における閉鎖デバイスとは、容器を閉めるのに用いられ、容器からの中身の望ましくない漏出を防ぐ、蓋、タップ、羽蓋、又はポンプ式デバイスであることが好ましい。本発明における内側とは、閉鎖デバイスの、容器の中身に面する側を意味する。外側とは、このデバイスの、外環境に面する側を指す。
【００２８】
本発明の利点の1つは、例えば、容器の蓋が表面センサー上で回転することができ、蓋の外側上又は蓋の内側上に位置するタッチポイントを含むデータコードを読み取ることができることである。これは、様々なサイズのタッチポイントによって技術的に実施され、これらのタッチポイントの配列は、回転中に表面センサーによって検知される。この回転運動は図6に図示される。
【００２９】
このため、本発明の好ましい改良において、タッチポイントは、好ましくは28 mmの直径を有する丸い蓋の中心の周りの規定の半径に位置する。タッチポイントは様々なサイズの直径を有する。
【００３０】
情報担体は、望ましいだけのタッチポイントを有することができる。しかしながら、1つの蓋につき2個〜32個のタッチポイントが好ましい。タッチポイントのサイズは、利用可能な表面上に適用することが意図されるタッチポイントの数によって変動する。タッチポイントを好ましく製造することができる好ましい分解能は約0.5 mmである。
【００３１】
タッチポイント及び情報担体の好ましい製造方法は、コールド箔転写法に代表される。しかしながら、導電性を有するインクを処理することができる他の全ての印刷法があり得る。導電性を有する適切なインクは、例えば、Eckart社の3x、PChem社のPFI-727、Printacarb社の3x、Acheson社のPF-407C及び導電性を有する銀ニス、又はPedot：PSS等の導電性ポリマーである。さらに、アルミベース箔を用いた熱エンボス加工が有利である。印刷に最も適切なのは、スクリーン印刷及びパッド印刷並びに更には箔挿入成形プロセスである。
【００３２】
追加の情報担体をラベルの形態で容器上に取り付けることができる。ここでは、情報担体は、次に、容器に面する側又は環境に面する側に取り付けることができる。情報担体は、可視形態又は不可視形態において存在することが好ましい場合がある。情報担体は、色付き層又は更なる材料層をオーバープリントすることで不可視にすることができる。
【００３３】
同様に、情報担体は、吊り下げラベルの表側又は裏側に取り付けることができる。本発明における吊り下げラベルとは、例えば、開封デバイス若しくは別の固定デバイスによって容器からぶら下げることができるか、又は他の方法で固定されることができる印刷された紙片又は厚紙片とすることができる。吊り下げラベルは、形及び固定に関して高い自由度を有する。このことは、広範囲の適用を保証する。
【００３４】
本発明による方法において識別される好ましい容器は、ボトル、缶、飲料カップ、又は飲料カートンを含む群から選択される。本発明におけるボトルとは、液体の運搬及び保存のために閉止可能な容器である。ボトルは、通常ガラス又はプラスチックからなるが、セラミック又は金属からなることもできる。本発明におけるボトルとは、特に、ビールボトル、ワインボトル、蒸留酒ボトル、牛乳ボトル、又はクリーム若しくはヨーグルト等の乳製品用のボトル、実験用ボトル及び薬品用ボトル、飲料ボトル、離乳食若しくはボトル詰めされた果物若しくは野菜用のガラス容器であるが、これらの選択されたものに限定されない。特に、好ましい方法によって、使い捨てボトル及び繰り返し使える（multi-use）ボトルの双方を識別することができる。
【００３５】
ガラスボトルは、良質な製品保護及び再利用の可能性等の特性を有する。破損に対する防護は、当業者にとって既知の最適化された形状によって何倍にも高めることができる。特殊なガラスボトルは、下方の縁又は底部において一列の識別子を有する。この一列の識別子によって、製造場所及び製造時刻を検知することができる。ここで、独国で製造された幾つかのボトルは、ボトルが製造されたガラス工場のガラスマークを有する。
【００３６】
低重量、低製造コスト、又は特定の耐化学性が関与する場合、特にプラスチックをボトル材料として用いることができる。特に、ポリエチレンテレフタラート、ポリエチレン、ポリプロピレン、又はポリテトラフルオロエチレンから作られるボトルが用いられる。
【００３７】
更なる態様では、本発明は、例えば缶に関する。ここでは、好ましい方法によって、特に飲料缶及び更には食料缶の双方を明確に識別することができる。ボトル以外では、飲料缶が、飲料にとって最も重要な商業包装であり、原則として、同時に飲用具として機能する。飲料缶は、基本的に、缶ビール及びソフトドリンク等の炭酸を含む飲料のために用いられ、プルタブによって開封される。今日の飲料缶は、アルミニウム、亜鉛メッキ鋼、又はブリキから作られる一体の円筒容器と、楕円形の刻線及びリベット留めされた金属製のタブを有し、アルミニウムから作られた蒸気付けされた蓋とを含む。金属製のタブは持ち上げられると、組み込まれた缶切りとして、刻まれた楕円形をレバーアクションによって缶の内側に押し込み、それにより注ぎ口又は飲み口をもたらす。
【００３８】
飲料缶は、最大6バールの内圧に耐え、内側へ湾曲した底部によって、その体積に関する安全裕度を有する。飲料缶が破裂する前に底部が外側に湾曲することで缶の体積が増し、それにより圧力が低下する。缶の底部の内側におけるこの湾曲部は、缶が、缶の底部の外リング上に安定して立つことを保証する。この外リングは、本発明においては構造素子とすることができる。
【００３９】
加熱によって食料缶において長期保存可能にされる一般的な食品は、桃、梨、及びパイナップル等の果物、野菜、特に加熱調理されたレンズ豆及び豆等の豆類、イワシ、サバ、及びニシン等の魚類、並びにコーンビーフ、ソーセージ、長期保存パン、並びに更には肉類を含むか、又は含まない調理済みの食料である。加えて、粉、例えば粉ミルクが食料缶に詰められる。この場合、閉鎖の前に、缶の中に真空がもたらされ、その後、内容物の損傷を防止するために窒素が保護雰囲気として封入される。なぜならば、粉製品の場合、低温殺菌が可能ではないからである。これらの製品の全てにおいて共通する特徴は、これらの製品が未加工の状態では特に簡単に損傷を受ける場合があり、そのため、本発明による方法及びシステムによって特に確実に保存することができることである。
【００４０】
缶の場合、一般的に深絞りすなわち伸長が好ましい製造方法として用いられる。そこでは、缶は、単純化された形態で、伸長機械において機械成形によって金属シートの円形片から製造され、缶の底部は打抜き機を用いて製作される。例えば、構造素子は、この刻印機の補助によって製造することができる。さらに、例えば、缶の底部はこのようにして分割することができ、それらのセグメントはシグネチャーを形成することができる。
【００４１】
缶は、好ましくは、アルミニウム、亜鉛めっき鋼、又はブリキ等の導電性材料からなるので、これらの缶は、ユーザーによって表面センサーと接触させられると、表面センサー上でタッチイベントをトリガーするか、又は、これらの缶が液体で充填されている場合、充填された缶の固有容量がタッチイベントをトリガーするのに十分なことにより、タッチイベントをトリガーする。したがって、缶は空き缶とすることもできる。ブリキは、最大0.49 mmの厚さを有する薄い鋼プレートである。腐食から鋼を保護するために、この鋼プレートの表面は溶融めっき法又は電解によって錫でコーティングされている。
【００４２】
飲料カートンは、複合材料から作られた、飲料及び液体食品のための使い捨てパッケージである。この飲料カートンはプラスチック積層板を有する。このプラスチック積層板は、意図される用途に応じて内側がコーティングされる。ここでは、ポリエチレン、アルミニウム又はEVOH（エチレンビニルアルコール共重合体）が用いられる。この板は、複合材料に形状及び耐久性を与える。内側コーティング剤と、存在する場合にはアルミニウム介在層とは、中身の材料の保護を保証する。外側コーティング剤は、板を濡れ浸しになること（wetting through：（独）Durchnaessung）から保護し、複合材料のバリア特性を増大させる。
【００４３】
本発明によると、例えば、これに限定されないが、1つ又は複数の側に凹凸を有するような使い捨てパッケージが提供される。このとき、これらの凹凸は、評価可能なデータコードを自身の形状において構成する。
【００４４】
さらに、本発明による方法よって、飲料カップを容量的に検知することができる。本発明における飲料カップは、好ましくは、飲用具としても機能することができる、飲料の保存及び運搬のための容器を指す。この飲料カップは、通常、下方に向かって先細りになる形状を有し、プラスチック又は厚紙から製造される。多くの場合、購入者は飲料をその場で飲むために、そのような飲料カップにおいて飲料を入手する。ここで、不所望の漏出に対する保護のため、又は飲料を混入物質から保護するための蓋を飲料カップに設けることができる。通常、飲料は、ファストフード店、スーパーマーケットの飲食店、ショッピングモール又は家具屋で、自動セルフサービス飲料マシン飲料において購入者自身が飲料を充填することができる飲料カップにおいて販売される。ここでは、所定の数の飲料カップの充填が価格に含まれる。
【００４５】
したがって、本発明の好ましい適用は、このような飲料カップが飲料放出デバイスによって検知され、カップの新たな充填が許可されるか、又は例えば、許容充填数に既に達したことによって拒絶されるときである。最初の充填後の特定の時間インターバルの満了後に、更なる充填がもはや許可されないことが好ましい場合もある。
【００４６】
本発明によると、容器は、例えば、何らかのパッケージングによってパックを形成するように組み立てられた場合、複数の飲料容器を含むパックとすることもできる。1つの好ましい例は、「6パック」、すなわち、例えば、6本のミネラル水ボトル又はビールボトルを有し、好ましくはプラスチックフィルム又は厚紙パッケージによってまとめられ、その中で運搬されるパックである。本発明の好ましい改良において、そのようなパック、すなわちプラスチックフィルム又は厚紙パッケージに情報担体も設けることができる。
【００４７】
本発明の更に好ましい改良では、容器は少なくとも1つの通常の底面若しくは側面、又は構造素子が設けられた通常の閉鎖デバイスを有する。
【００４８】
多くのボトルにおいて、ボトルの底部又はボトルの中央エリアは、構造素子があることにより、特徴パターンを検知することができるような性質である。これらの構造素子又はこれらの構造素子によってもたらされる特徴シグネチャーは、表面センサーによって検知することができる。様々なキャパシタンスの領域を有する特徴シグネチャーが検知される。
【００４９】
或るボトルの種類における底面は、例えば、幾つかの比較的大きな隆起を有する。これらの隆起上にボトルは安定して立つ。他のボトルの種類は、多くの小さな隆起を有する。これらの隆起は、基部に関して摩擦を増大させ、したがって、ボトルが滑るのを阻止するように意図される。これらの隆起又は凹みは、本発明においては構造素子として組み合わされる。容量性表面センサーがボトルの底面のこれらの構造素子を、様々なキャパシタンスエリアを有するシグネチャーとして検知することは完全に驚くべきことであった。閉鎖デバイスですら構造素子の担体とすることができる。例えば、ボトルの蓋は、多くの場合に側部に溝を有し、これらの溝は本発明においては構造素子を指すことができる。
【００５０】
しかしながら、本発明によると、「構造素子」という用語は、容量性表面センサーによって検知することができず、したがって、負のシグネチャーをもたらす非導電性領域、すなわち絶縁領域にも用いるように意図される。これらの絶縁領域は、接着接合、印刷、又は他の任意の方法でボトルの底部、側面、又は閉鎖デバイスに固定することができる、絶縁性、すなわち非導電性のラベル又は特定の形に作られた絶縁材料によって実施することができる。負のシグネチャーの使用は、明白な物理的構造素子を有しないフラットボトルの場合に特に好ましい。更に好ましい実施形態では、これらのラベル又は材料は完全に絶縁性とする必要はなく、代わりに、これらのラベル又は材料の電気特性と容器材料の電気特性との間の差異を明確に検知及び分類することができる程度に、それらの電気特性が容器材料の電気特性から異なっていれば十分である。したがって、他の容器材料との関係において増大する導電性を有する領域であっても、構造素子とすることができる。
【００５１】
本発明における構造素子は、ボトルの底部の領域とすることもできる。この領域のボトル材料は、残りのボトルエリアとは異なる厚さを有する。より大きな材料厚さは、より低い容量性結合と関連付けられているため、このようにして比較的単純に様々な容量性信号を生成することができる。このことは、様々な特徴シグネチャーをもたらす。これは、例えば、外側に向けられた構造素子、物理的構造素子、可視構造素子、及びタッチによって確定することができる構造素子と動作しないように意図されるときに有利である。
【００５２】
本発明の更に好ましい改良では、ボトルは、ガラスボトル、プラスチックボトル、特にPEボトル、PPボトル、PETボトル若しくはPTFEボトル、セラミックボトル、金属ボトル、又はそれらの組み合わせを含む群から選択され、缶は、ブリキ、鋼及び／又はアルミニウムから作られる食料缶又は飲料缶を含む群から選択される。鋼は、例えば、亜鉛メッキをすることもできる。したがって、本発明は、非常に広い範囲の飲料容器及びパッケージを含む。
【００５３】
本発明の更に好ましい実施形態は、容器とユーザーとの間にタッチ接触があることと、容器とユーザーとの間のこのタッチ接触の結果として、タッチイベントがトリガーされることとを特徴とする。本発明におけるユーザーとは、特に好ましくは人間、例えば、本発明による容器において、若しくは本発明によるパッケージにおいて飲料を入手する購入者、又はそうでなければ飲料に関する情報を提供することを望む販売者である。人体は、容器と表面センサーとを備えるシステムにおいて、ユーザーが、表面センサーとともにあり、この表面センサーと接触する容器をタッチするときにキャパシタンス変化をもたらす導電性を有する。このキャパシタンス変化は、表面センサーによってタッチイベントとして検知される。
【００５４】
人間に固有の導電性によって人の手指は導電性を有し、この結果、人の手指はタッチイベントをもたらすことができる。タッチポイントは、同様に導電性材料から製造され、この導電性材料によってタッチイベントがもたらされる。各タッチポイントはタッチイベントをトリガーする。複数のタッチポイントはともに、表面センサーによって検知することができるデータコード又は特徴シグネチャーを得ることができる。追加の情報は、このデータコードに記憶することができる。タッチポイントは、導電性を有する構造によって互いに接続することができる。これらの構造は、タッチポイントと同様の方法で製造される。
【００５５】
しかしながら、本発明において、「ユーザー」という用語は、より広範に解釈されるものであり、人間のみに関するものではない。本発明の更なる態様では、ユーザーは、醸造所等の飲料充填システム、例えば、自動飲料販売デバイス、好ましくは自動飲料マシン、空の飲料容器のための自動受取デバイス、好ましくは、スーパーマーケット及びディスカウント店における返却ステーション、又はファストフード店、スーパーマーケットの飲食店、ショッピングモール若しくは家具屋における飲料カップのセルフ充填のための自動飲料放出デバイスでもあるべきである。
【００５６】
本発明において、容器に固体、気体及び／又は液体の中身を提供することができる。液体の中身が関わる場合、この中身が電解液体、極性液体及び／又は双極子物質及び／又は双極子イオンを有する液体を含む群から選択されることが好ましい。
【００５７】
電解は、固体状態、液体状態又は溶解状態において、電界の影響下で方向付けられるように動くイオンに解離する化学化合物を指す。多くの場合、電解は、可動イオンを含む固体又は液体の材料を指す。そのようなイオン伝導体の導電性は、金属にとって一般的な導電性よりも低い。したがって、イオン伝導体はクラス２の伝導体として示される。しかしながら、更に好ましい内容物は、極性液体又は双極子含有物質とすることができ、最も単純な場合には水とすることができる。脱イオン化された水は、既知であるように電解に属さないが、その双極子特性を考慮すると、同様に、容量性表面センサー又は表面センサーを備えるデバイス上でタッチイベントをトリガーするのに適している。
【００５８】
液体の導電性は、水に溶解した物質の総和を示し、ジーメンス毎センチメートルの単位で求められる。通常、水に溶解した状態で存在する物質は、アルカリイオン及びアルカリ土類イオン、塩化物、硫酸塩又は炭酸水素である。液体の導電性は、液体の鉱化の尺度である。液体の鉱化度が高いほど、その導電性は高い。したがって、水道水は、一般的に、500 μS／cm〜1100 μS／cmの導電性を有し、ミネラル水は1200 μS／cm〜8000 μS／cmの導電性を有し、海水は42000 μS／cm〜55000 μS／cmの導電性を有し、例えば、コカコーラは1250 μS／cm〜1300 μS／cmの導電性を有する。
【００５９】
多くのボトルの場合、ボトルの底部は、構造素子があることにより、特徴パターンを検知することができるような性質である。好ましい実施形態では、自身がボトルとタッチ接触しているユーザーは、導電性材料で充填された非導電性のボトルを、表面センサーと接触させる。このプロセスにおいて、表面センサーでタッチイベントをトリガーする容量性結合が、含まれている導電性を有する液体を介して、ボトル材料を通してもたらされる。
【００６０】
本発明の好ましい実施形態では、表面センサーは、液体と表面センサーとの間の極めて著しい異なる容量性結合を用いて、異なる導電性を有する液体間のキャパシタンスの差異を検知する。表面センサーがこの目的を果たすことができることは完全に驚くべきことであった。これは、異なる液体が、表面センサーとボトルとの間の異なる強度の結合をもたらすことによって実施される。
【００６１】
本発明の好ましい改良では、表面センサーは、異なる周波数で、ボトルと内容物とを備えるシステムのキャパシタンスを求める手段を備える。キャパシタンスの差異を求めている間、表面センサーの電極は1つ又は複数のコンデンサーを形成する。コンデンサーの電荷は、特定の期間の後に測定される。これらの期間は周波数に依存し、この周波数によってこれらのコンデンサーは形成され、その後電荷が測定される。このプロセスにおいて、様々な材料の性質は様々な周波数において異なる。したがって、第1に材料を求めることが可能であり、第２に特定の材料を選択することによって検知を最適化することが可能である。
【００６２】
本発明の更に好ましい実施形態では、表面センサーと容器とを接触させることは、容器の底面及び／又は閉鎖デバイスによって実施される。本発明において、接触させることとは、好ましくは特に容器の底面及び／又は閉鎖デバイスと表面センサーとの間に間隙がないことを意味する。これは、容器が好ましくは表面センサーとタッチ接触していることを意味する。しかしながら、直接接触がないことが好ましい場合もあり、代わりに、タッチイベントをトリガーするのに接近するだけで十分である。接近の場合、導電性を有する液体で充填された容器と、表面センサーとの間の好ましい距離は0 cm〜6 cm、特に好ましくは0 cm〜4 cm、最も好ましくは0 cm〜2 cmである。容器と表面センサーとの間のそのような接近が容器又は当該容器の内容物を明確に識別するのに十分であるということは、完全に驚くべきことであった。
【００６３】
そのような接近は、例えば開封されたボトルから表面センサー上に流出する場合がある、例えば液体による混入物質を避けるのに特に有利である。さらに、接近することにより、容器上に記憶された情報の読取りは、例えば自動プラント内のコンベヤーベルト上で、より迅速に行うことができる。加えて、自動飲料マシン内のセンサーの場合、センサーを容器と直接接触させるのが常に可能又は望ましいとは限らない。なぜならば、自動飲料マシン内のセンサーは湿気から保護する必要があるからである。接近することによって、更なる変形形態が得られる。例えば容器上の情報は、ガラス板を通して、例えば陳列棚内において読み取ることができる。接近を検知することを用いて、マルチステージアクションをトリガーすることができる。この場合、例えば、容器を表面センサーに接近することがアクション1をトリガーするのに対し、例えば、アクション2は接触することによってトリガーされる。
【００６４】
好ましい実施形態では、本発明は、表面センサーを備えるデバイスにおいて少なくとも1つのアクションをタッチイベントによってトリガーすることと、このタッチイベントを解釈すること（interpretation）とに関する。これは、例えば、表面センサーが、容器の構造素子によってもたらされる特定のシグネチャーを検知したときに鳴る可聴信号を意味することができる。これは、本発明の多数の適用エリアの可能性を開く。本発明による方法を用いて、視覚能力が限られている人間にとって日常生活をより容易にすることができる。例えば、そのような人はボトル又は飲料缶を表面センサーと接触させることができる。次に、容器の底部の構造素子を用いること、及び容器の内側の、導電性を有する液体に関するキャパシタンスデータを用いることで、表面センサーはどの液体が含まれているかを検知し、例えば、音声出力プログラムによって、液体の名称を音声出力することができる。例えば、これらの例に限定されることはないが、情報又はダイアログモニターが開かれることも可能である。
【００６５】
タッチイベントを解釈することは、表面センサーによって求められたデータを情報技術的に更に処理することである。このデータは、特に、容器の中に位置する、導電性を有する液体のキャパシタンスと、容器の構造素子によってもたらされ、容量性結合が行われる表面センサー上の点を特定する特徴シグネチャーとに関する。この場合、解釈することは、例えば、現在表面センサー上に位置するボトル及びこのボトルの内容物を、製造業者ABCによる「naturally cloudy apple juice」であり、ボトルはXYZガラス工場に由来するものとして識別することである。
【００６６】
本発明の好ましい実施形態では、表面センサーと容器とを接触させるアクションは、容器の底面を通して実施される。ここで、好ましくは、容器と表面センサーとの間に物理的接触がもたらされるように、容器は表面センサーを有するデバイス上に配置される。しかしながら、容器の閉鎖部又は側面と、表面センサーとの間にこの接触がもたらされることが好ましい場合もある。ここでは、容器の通常の閉鎖部及び側面の双方を、表面センサー又は追加の情報担体が設けられた閉鎖部若しくは側面によって、検知することができる。本発明による方法が、容器と表面センサーとの間の接触の構成に関してこれらの自由度を可能にすることは完全に驚くべきことであった。したがって、非導電性の容器の底面だけでなく、容器全体をを検知に用いることができる。それだけではなく、このことは、例えば完全に驚くべきことに、容器上の複数の構造素子若しくは情報担体、又はこれに限定されない例として、底面の特定の構造と、容器の側部における、底面の特定の構造から区別することができる構造とを一体化することを可能にする。
【００６７】
この構成は、表面センサーの感知面を管理し、この感知面を損傷から保護するのに特に有利である。
【００６８】
本発明の更に好ましい実施形態では、表面センサーを備えるデバイスは、容器がもたらしたタッチイベントと、手指の先がもたらしたタッチイベントとを見分ける手段を備える。そのような手段は当業者には既知である。これは本発明による方法の完全に驚くべき効果であった。構造素子によってもたらされる容器の特徴シグネチャーは、ソフトウェアの補助によって、手指入力と明確に見分けることができ、関連付けられているデータ処理システムにおいて検知することができる。例えば、「揺動」タッチポイント又はタッチポイントのサイズの変化は適切に検知及び解釈されるか、又は容量性シグネチャーがこの趣旨で評価される。
【００６９】
ここで、手指入力と、液体で充填された容器とを区別することは、異なる導電性を有する人体及び液体容器によって実施することができる。この導電性の差異によって異なるキャパシタンスがもたらされ、この異なるキャパシタンスが表面センサーによって検知される。さらに、容器による入力が一定であるのに対し、手指は常に表面センサーで僅かに「揺動」するという事実から手指による入力を検知することができる。この揺動を表面センサーによって検知し、手指に分類することができる。
【００７０】
さらに、直径又は形状に関して検知されたタッチイベントのサイズを検知し、したがって、異なるタッチイベントを検知することができる。さらに、個々のタッチイベントの互いに対する相対的な位置を評価することができる。ここで根拠となることは、情報担体に取り付けられるようにして存在するタッチポイントは、互いに対して動くことはなく、互いに一定距離を維持するのに対し、通常、手指は互いに依存して動くことである。
【００７１】
1本又は複数の手指によって、タッチスクリーン又は表面センサー上で入力を行うことができることは、当業者に既知である。これらの入力の種類は、単一タッチ又はマルチタッチとして示される。表面センサーの技術及び入力の原則、例えばそれにより入力が行われる手指の特性は、同様に当業者に既知である。例えば、手指の電気特性の他に、すなわち手指の導電性、入力の圧力又はそれによる接触エリア、表面センサーからの距離又は混入物質等の不注意に導入された材料は、入力に作用する場合がある。好ましい容器は、容器の外面に取り付けられた構造素子、すなわち、容器の構造素子によって規定される表面センサー上の位置における入力によって、結果として表面センサー上で手指と同じ効果を達成する。したがって、当業者は、高い実験費用なしで、手指の入力の特性がシミュレーションされ、構造素子を用いてシグネチャーが表面センサー上にもたらされるように容器の構造素子を設計することができる。
【００７２】
本方法の更に好ましい実施形態では、容器に更なる容量性情報担体を設けることができる。本発明における情報担体とは、限定されない例として、例えば容器又は当該容器の内容物に関する追加の情報をその中に記憶することができるラベル又は印刷物とすることができる。
【００７３】
好ましい実施形態では、特に溶接法又は接着接合によって、追加の情報担体又はラベルを容器に接続することができる。本方法の実質的な利益は、その単純な操作及び容器を個別化することへの可能性である。容器材料の材料及び性質に応じて、追加の情報担体を容器に取り付ける方法を決めることができる。
【００７４】
溶接法は、例えば、超音波溶接、誘導溶接、放射溶接又はプラスチックに適切な更なる溶接法を含むことができる。超音波溶接は、熱可塑性プラスチックと金属材料とを結合する方法である。必要な熱は、分子及びインターフェースの摩擦によりコンポーネント間で生成される高周波数機械振動によって達成される。したがって、超音波溶接は摩擦溶接群に属する。振動は圧力をかけられ、接続される工具、すなわち容器及び情報担体に伝達される。容器及び情報担体は加熱し、軟化し始め、その結果として、減衰係数が増加する。減衰係数の増加は、より高い内側摩擦をもたらし、それにより温度の増加が加速する。材料の加熱は、特に材料が融解に至らない程度に行われる。接続は、酸素層が破裂した後に実質的に材料を互いに噛み合わせることによってもたらされる。容器及び情報担体の超音波溶接は、非常に低い溶接回数及び高い経済性を特徴とする。
【００７５】
当然ながら、接着接合によって情報担体又はラベルを基部オブジェクトに固定することも有利とすることができる。直接的電気結合を実施するために、導電性を有する接着剤を用いることが特に好ましい場合もある。導電性を有する接着剤と非導電性接着剤とを組み合わせて用いることもできるし、「z導電性」システムとして知られるものを用いることもできる。最後の群において、導電性は1つの方向（z軸の方向）のみに伝達される。
【００７６】
加算法、セミアディティブ法、又は減殺法によって情報担体若しくはラベルを製造し及び／又は容器に情報担体若しくはラベルを取り付けることが有利である場合がある。さらに、情報担体が印刷法、好ましくは大量印刷法によって製造されることが好ましい。印刷法は、当業者にとって充分に既知である。しかしながら、好ましい方法によって製造されるそのような情報担体を容器に接続することができることは完全に驚くべきことであった。
【００７７】
情報担体は、有利には、印刷法、噴射法、刻印法、PVD法及びCVD法、ガルバノ法等の加算法、又はレーザー構造化法、ブラッシング法、フライス加工法等の減殺法等によって、製造することができる。加えて、エッチング法等のセミアディティブ法を有利とすることができる。もちろん、情報担体を製造する全ての他の方法を用いることもできる。
【００７８】
特に、接着剤によって追加の情報担体を取り付けること等の柔軟で独立した方法によって、柔軟に入れ替えて変更することができる完全に驚くべき個々の構造が可能にされる。結果として、容易に、経済的に、迅速に、かつ柔軟に、個々の応用形態を実施することができる。
【００７９】
本発明による容器は、吹き込み成形、吹き込み形成、真空法又は加圧法、深絞り、伸長及び／又はこれらの方法の組み合わせによって製造されることが好ましい。製造方法は、容器の材料及び望ましい内容物に応じて選択される。加えて、この選択の間、容器が単に通常の構造素子を設けられる範囲、又は追加の情報担体が容器に取り付けられるか否かを考慮することができる。
【００８０】
更に好ましい改良では、容量性表面センサーを備えるデバイスは、容器を表面センサーと接触させることによって、タッチイベントがトリガーされるロケーションを特定する手段を備える。本発明における「ロケーション」という用語とは、表面センサーを有するデバイスのロケーションである。このロケーションを特定するのに用いることができる手段は、例えば、表面センサーを有する多くのデバイスの構成要素であるGPSシステムによる位置特定を含む。表面センサーを有するデバイスによる更なるロケーション特定手段は、当業者に既知である。この改良は、主として、飲料製品及びそのパッケージの生産者のマーケティング用途に有利である。
【００８１】
更なる好ましい改良では、本発明は、導電性材料を含む容器又は当該容器の内容物の容量性識別のためのシステムに関する。このシステムは、容量性表面センサーと容器とを有するデバイスを備える。この容器は、容器と表面センサーとの間にタッチ接触があると、少なくとも1つのタッチイベントがトリガーされることを特徴とする。タッチイベントを用いて容器又は当該容器の内容物を識別する。ここで、特に容器及び当該容器の内容物のキャパシタンスが表面センサーによって検知され、識別の目的で用いられる。
【００８２】
ここで、ユーザーが通常の消費者で、容器が通常のボトル及び飲料缶であり得ることが本発明の特別な利益である。表面センサーを有する好ましいデバイスは、限定ではないが、例えば、スマートフォン、携帯電話、表示装置、タブレットPC、タブレットノートブック、タッチパッドデバイス、ペンタブレット、TV、PDA、MP3プレイヤー、トラックパッド及び／又は容量性入力デバイス及びセンサーとすることができる。本発明の目的は、正確には、日用品を表面センサーによって識別することができるシステムを提供することである。
【００８３】
本発明による改良を用いて、従来技術における幾つかの既知の不利点が取り除かれる。これらの改良は、例えば以下のものである。
容器上の構造素子によって、特徴シグネチャーを達成するために追加の製造ステップが必要とされない。
導電性を有する層の複雑な構造化がない。
生理学的に疑わしい物質が用いられていない。
非常に多様な構造素子を製造することができ、したがって非常に多様な異なるタッチイベント／タッチイベントの組み合わせをトリガーすることができる。
【００８４】
本発明の更なる好ましい実施形態は、容器と表面センサーとを備えるシステムが、容器が少なくとも1つの底面、側面、閉鎖デバイス、ラベル、吊り下げラベル及び／又はパッケージを有するということを特徴とすることに存する。特に、容器のこれらの表面又はデバイス又は追加のコンポーネントは、次に、表面センサーと接触させられるか、又は表面センサーに接近させられ、これにより、容器と表面センサーとの間の容量性結合が行われ、タッチイベントがもたらされる。
【００８５】
本発明は、容量性識別及び容器内の導電性を有する液体の識別のための好ましい方法及び／又は好ましいシステムの使用に更に関する。ここでは、識別される導電性を有する液体は、液体の導電性に作用する可変特性を有し、したがって表面センサーによって容量的に識別することができる全ての液体とすることができる。例えば、以下のものを、つまり、アルコール飲料又は非アルコール飲料、オリジナルの医療製剤又はジェネリック医薬品、オリジナルの製品又は偽造製品、ジュース、ネクター又は果汁ジュースを含む飲料、砂糖又は甘味料を含む飲料、異なる脂肪内容物、レモネード又は発砲性を有する飲料、ミネラル水、水道水、精製水又は蒸留水及び／又濃度又は作用物質濃度に関して異なっている飲料又は薬剤を識別することができる。
【００８６】
加えて、異なる導電性及び容量性結合強度によって、容器が既に開封され、内容物が取り除かれたか否かを識別することができる。したがって、例えば音声出力を介して、ユーザーに、容器の内容物がどの程度使い果たされたかを通知する応用形態が考えられる。
【００８７】
更なる好ましい改良では、本発明は、容器の中の導電性を有する液体を容量的に識別する本発明による方法又はシステムの使用法に関する。好ましい使用法は、液体が可変特性を有し、この可変特性は、液体の導電性に作用し、したがって液体と容器とを含むシステム全体のキャパシタンスに作用し、結果として液体を表面センサーによって容量的に識別することができることを特徴とする。
【００８８】
更に有利な方策は、残りの従属項に記載されている。本発明は、例示的な実施形態及び以下の図面を用いてより詳細に記載される。
【００８９】
図1は、導電性を有する液体11で充填される本発明による容器10を示す。容器10はここではボトルである。このボトルは、構造素子17が設けられた底面13を有する。本発明による構造素子は、例えば、容器材料の様々な壁厚12の領域も含む。
【００９０】
図2は、本発明による容器10を示す。容器10はここでは缶である。この缶は、構造素子17が設けられた底面15を有する。
【００９１】
図3は、導電性を有する液体11で充填されている容器10を示す。容器10は、この場合はボトルであり、容量性表面センサー18を有するデバイス16と接触している。次に、ユーザーが容器10にタッチすると、容器10と、容器10の、導電性を有する内容物11と、表面センサー18との間に容量性結合がもたらされる。この結合の強度は、表面センサー18によって検知することができる。同様に、表面センサー18を有するデバイス16は、表面センサー18上の容量性結合が行われる点を検知する。これらの点は、ボトル底部13における構造素子17によって検知される。構造素子17は、ボトルの種類の特徴を示すシグネチャーをもたらし、表面センサー18を有するデバイス16によって検知される。特に、容量性結合の強度及びボトル底部13の特徴シグネチャーを含む組み合わせは、容器10及び容器10の内容物11の識別を可能にする。
【００９２】
図4は、タッチポイント19と、導電性を有する構造21とを有する情報担体20を示す。これらのタッチポイント19は併せて、表面センサー18によって検知することができるデータコードを生成することができる。本発明によると、1つのそのような情報担体又は複数のそのような情報担体は、追加的に容器に、例えば飲料ボトルのスクリュー閉鎖部の上又は中に取り付けることができる。
【００９３】
図5は、情報担体20が設けられているボトルの蓋22を示す。この情報担体20は、3つのタッチポイント19からなるデータコードを含む。図面の左手の部分は、蓋22の側面図を示す。この側面図は、情報担体20が蓋22の表面に取り付けられ、タッチポイント19を含むことを明らかにする。
【００９４】
図6は、回転運動24中の更なるボトルの蓋22を示す図である。ここで、回転運動24は手指23によってもたらされる。しかしながら、蓋22がボトルにねじ込まれ、ユーザーが表面センサー18上で、蓋22の上にあるボトルを回転することも考えられる。図面の上方部分は、情報担体20の好ましい実施形態を示す。タッチポイント19は、丸い蓋22の中心の周りの規定の半径内に位置し、タッチポイント19は様々なサイズの直径を有する。なぜならば、様々なサイズの直径は、表面センサー18によってより良好に互いから識別することができるからである。
【図面の簡単な説明】
【００９５】
【図１】導電性を有する液体11で充填される本発明による容器10を示す。
【図２】本発明による容器10を示す。
【図３】導電性を有する液体11で充填されている容器10を示す。
【図４】タッチポイント19と、導電性を有する構造21とを有する情報担体20を示す。
【図５】情報担体20が設けられているボトルの蓋22を示す。
【図６】回転運動24中の更なるボトルの蓋22を示す図。
【符号の説明】
【００９６】
10  容器
11  導電性を有する液体
12  容器材料の壁厚
13  ここではボトルである容器の底面
14  ここでは飲料缶である容器
15  缶の底面
16  表面センサーを有するデバイス
17  構造素子
18  表面センサー
19  タッチポイント
20  情報担体
21  導電性を有する構造
22  ボトルの蓋
23  手指
24  回転運動
【図１】
2016510289.tif 000003
【図２】
2016510289.tif 000004
【図３】
2016510289.tif 000005
【図４】
2016510289.tif 000006
【図５】
2016510289.tif 000007
【図６】
2016510289.tif 000008
【国際調査報告】
2016510289.tif 000009
2016510289.tif 000010
2016510289.tif 000011
2016510289.tif 000012